(57)【特許請求の範囲】
【請求項１】
１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる複数の可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
可変減衰手段の減衰量を最大から最小まで徐々に減少するように制御する減衰量制御手段と、を備え、
前記減衰量制御手段は、
ガードインターバル区間に対応した期間にて、前記複数の可変減衰手段中の１つの減衰量を最小又は最大に切り換えて前記相関検出手段により検出された相関出力のピークレベルを測定し、相関出力のピークレベルが増加したか否かを判別し、
相関出力のピークレベルが増加したと判別すると前記複数の可変減衰手段中の相関出力のピークレベルを判別する際に減衰量を切り換えた可変減衰手段による減衰量を最小から増加または最大から減少させ、
ガードインターバル区間に対応する期間に前記可変減衰手段による減衰量の増加減の減衰量の変化速度を、受信信号の変調方式に基づいて制御し、
前記減衰量の変化速度を、フェージングの特性の影響力が大きいときは小さく、フェージングの特性の影響力が小さいときは大きく、変更する、
ことを特徴とするダイバーシティ受信機。
【請求項２】
請求項１記載のダイバーシティ受信機において、前記減衰量制御手段は、
ガードインターバル区間に対応した期間に前記複数の可変減衰手段中の１つの減衰量を最小に制御したときに検出した相関出力のピークレベルが直前のガードインターバル区間に対応した期間に検出した相関出力のピークレベルよりも増加しているときは、前記可変減衰手段による減衰量を可変し、続くガードインターバル区間に対応する期間毎における減衰量の変化速度を、受信信号の変調方式に基づいて制御し、フェージングの特性の影響力が大きいときは小さくフェージングの特性の影響力が小さいときは大きく変更し、減衰量を最大から順次段階的に最小にまで変更することを特徴とするダイバーシティ受信機。
【請求項３】
請求項１記載のダイバーシティ受信機において、前記減衰量制御手段は、
ガードインターバル区間に対応した期間に前記複数の可変減衰手段中の１つの減衰量を最小に制御したときに検出した相関出力のピークレベルが直前のガードインターバル区間に対応した期間に検出した相関出力のピークレベルよりも減少しているときは、前記可変減衰手段による減衰量を可変し、減衰量を最小にしたときのガードインターバル区間に対応する期間に続く有効シンボル区間から減衰量を最大に戻すことを特徴とするダイバーシティ受信機。
【請求項４】
請求項１記載のダイバーシティ受信機において、前記減衰量制御手段は、
ガードインターバル区間に対応した期間に前記複数の可変減衰手段中の１つの減衰量を最大に制御したときに検出した相関出力のピークレベルが直前のガードインターバル区間に対応した期間に検出した相関出力のピークレベルよりも増加しているときは、前記可変減衰手段により減衰量を可変し、続くガードインターバル区間に対応する期間毎における減衰量の変化速度を、受信信号の変調方式に基づいて制御し、フェージングの特性の影響力が大きいときは小さくフェージングの特性の影響力が小さいときは大きく変更し、減衰量を最小から順次階段的に最大にまで変更することを特徴とするダイバーシティ受信機。
【請求項５】
請求項１記載のダイバーシティ受信機において、前記減衰量制御手段は、
ガードインターバル区間に対応した期間に前記複数の可変減衰手段中の１つの減衰量を最大に制御したときに検出した相関出力のピークレベルが直前のガードインターバル区間に対応した期間に検出した相関出力のピークレベルよりも減少しているときは、前記可変減衰手段により減衰量を可変し、減衰量を最小にしたときのガードインターバル区間に対応する期間に続く有効シンボル区間から減衰量を最小に戻すことを特徴とするダイバーシティ受信機。
【発明の詳細な説明】
【０００１】
【発明の属する技術分野】
本発明は直交周波数分割多重方式により変調（ＯＦＤＭ変調）された放送信号を受信するダイバーシティ受信機に関する。
【０００２】
【従来の技術】
ＯＦＤＭ変調された放送信号の１ＯＦＤＭ伝送シンボル期間は、有効シンボル区間とガードインターバルと呼ばれる区間とからなる。有効シンボル区間はデータ伝送のために必要な信号期間である。ガードインターバルはマルチパスなどのシンボル間干渉を防ぐためのものであり、有効シンボル区間の最後の所定期間長部分を有効シンボル区間の先頭に巡回的に複写されたものである。
【０００３】
デジタル地上波テレビジョン放送信号など、ＯＦＤＭ変調された放送信号を受信するダイバーシティ受信機が知られている。従来のこの種のダイバーシティ受信機は、この出願人により提案されているものがある（特願２０００−３８０００５）。
【０００４】
このダイバーシティ受信機は、複数のアンテナによる受信信号をそれぞれ可変減衰器で減衰し、減衰出力を合成し、合成出力をベースバンド信号に復調するダイバーシティ受信機において、ベースバンドＩＱ信号の電力に基づく電力信号を検出し、検出電力信号に基づきガードインターバル区間に対応した期間に可変減衰器中における１つの可変減衰器の減衰量を切り替え、減衰量の切り替えによって受信信号レベルが上昇したときは、以降、ガードインターバル区間に対応した期間に合わせたタイミングにて、前記１つの可変減衰器の減衰量を階段的に変化させるものである。
【０００５】
かかるダイバーシティ受信機Ｂは図６に示すように構成される。ダイバーシティ受信機Ｂでは、アンテナ１、２、３、４で受信したＲＦ信号はそれぞれ低雑音増幅器５、６、７、８にて増幅のうえ、それぞれ可変減衰器９、１０、１１、１２にて減衰のうえ混合器１３に入力して合成し、混合器１３の出力をチューナ１４に供給する。
【０００６】
混合器１３から出力される合成出力を受けたチューナ１４では、合成出力を増幅、周波数変換、さらに帯域制限を行って中間周波信号に変換する。チューナ１４からの出力される中間周波信号はＡＤ変換器１５に供給してデジタル信号に変換し、変換されたデジタル信号は直交検波器１６に供給して直交検波することで、ベースバンドＩ、Ｑ信号に変換する。
【０００７】
直交検波器１６から出力されるベースバンドＩ、Ｑ信号は有効シンボル抽出回路１７に供給し、タイミング再生回路２１から出力される有効シンボル区間を示すタイミング信号（ＦＦＴ−ＷＩＮＤＯＷ）に基づき、有効シンボル抽出回路１７において有効シンボルに対応した期間の信号のみをベースバンドＩ、Ｑ信号から取り込み、有効シンボル区間に対応した期間の信号をＦＦＴ回路１８に供給し、ＦＦＴ回路１８にてＦＦＴ処理を行ってＯＦＤＭ変調信号の復調を行いキャリア毎の情報に分離し、デマッパ回路１９に供給してデマッピングすることによって復調データとして送出する。
【０００８】
一方、直交検波器１６から出力されたベースバンドＩ、Ｑ信号はガード相関器２０に供給し、ガード相関器２０の入力ベースバンドＩ、Ｑ信号と該ベースバンドＩ、Ｑ信号を有効シンボル期間の時間幅遅延させた遅延ベースバンドＩ、Ｑ信号との積をガードインターバル期間の時間幅にわたって積分し、該積分をＡ／Ｄ変換器１５におけるＡ／Ｄ変換のためのサンプル周期ずつ順次ずらせて行うことによって、その積分値から相関出力を求め、相関出力をタイミング再生回路２１に供給して相関出力のピーク位置からＯＦＤＭシンボルのタイミングを求め、タイミング信号（ＦＦＴ−ＷＩＮＤＯＷ）を有効シンボル抽出回路１７へ送出する。
【０００９】
また、直交検波器１６から出力されたベースバンドＩＱ信号はパワー検出器２４に供給して、パワー検出器２４で、Ａ／Ｄ変換器１５におけるＡ／Ｄ変換のためのサンプル毎のベースバンドＩ、Ｑ信号を電力に変換し、電力信号（ＲＸ−ＰＯＷＥＲ）として出力する。
【００１０】
電力信号（ＲＸ−ＰＯＷＥＲ）とタイミング信号（ＦＦＴ−ＷＩＮＤＯＷ）とは、ダイバーシティ制御回路２５に供給し、ダイバーシティ制御回路２５から可変減衰器９、１０、１１、１２の減衰量を制御する減衰量制御信号ＣＯＮＴ１、ＣＯＮＴ２、ＣＯＮＴ３、ＣＯＮＴ４をそれぞれ可変減衰器９、１０、１１、１２へ送出して、混合器１３の出力レベル、すなわち合成された受信信号レベルが高くなるように可変減衰器９、１０、１１、１２の減衰量を制御する。
【００１１】
ダイバーシティ制御回路２５の動作を、減衰量制御信号ＣＯＮＴ１を例に図７、図８、図９、図１０に示すタイミング図によって説明する。
【００１２】
ここで、タイミング信号（ＦＦＴ−ＷＩＮＤＯＷ）は高電位のとき有効シンボル区間に対応する期間を示し、低電位のときガードインターバル区間に対応する期間を示している。減衰量制御信号ＣＯＮＴ１は可変減衰器９の減衰量を制御する信号であり、減衰量制御信号ＣＯＮＴ１のレベルが最大の場合に減衰量が０に制御され、減衰量制御信号ＣＯＮＴ１のレベルが最小の場合に減衰量が最大になる。電力信号（ＲＸ−ＰＯＷＥＲ）はベースバンドＩ、Ｑ信号の電力を示し、レベルが高い場合にベースバンドＩ、Ｑ信号の電力が大きいことを示している。
【００１３】
図７では、混合器１３の入力がなくならないようにするために、可変減衰器１０、１１、１２の中で、少なくとも１つ以上の減衰量を０とし、初期状態として、減衰量制御信号ＣＯＮＴ１のレベルが最小、すなわち可変減衰器９の減衰量が最大となっている。ここで、アンテナ１で受信している信号を評価するために、タイミング信号（ＦＦＴ−ＷＩＮＤＯＷ）が低電位になる区間（図７（ａ）参照）で減衰量制御信号ＣＯＮＴ１のレベルを最大にし（図７（ｂ）参照）、可変減衰器９の減衰量を０にする。
【００１４】
これによって、アンテナ１で受信した信号も混合器１３による合成のうえチューナ１４に入力され、このときにおいて、図７では、電力信号（ＲＸ−ＰＯＷＥＲ）のレベルが上がった場合を示している（図７（ｃ）参照）。この場合では、アンテナ１で受信している信号を含めて混合器１３で合成すれば混合器１３の出力のレベルは増大し、受信条件が良くなると判定されるが、復調される信号の急激な変化を避けるために、タイミング信号（ＦＦＴ−ＷＩＮＤＯＷ）が高電位になるタイミングで一旦減衰量制御信号ＣＯＮＴ１のレベルを最小に戻し、それ以降、タイミング信号（ＦＦＴ−ＷＩＮＤＯＷ）が低電位の区間で減衰量制御信号ＣＯＮＴ１のレベルを、最大になるまで階段的に順次増大させる（図７（ｂ）参照）。
【００１５】
図８の場合では、初期状態は図７の場合と同様であるが、タイミング信号（ＦＦＴ−ＷＩＮＤＯＷ）が低電位になる区間（図８（ａ）参照）で、減衰量制御信号ＣＯＮＴ１のレベルを最大にし（図８８（ｂ）参照）、可変減衰器１３の減衰量を０にしたことにより電力信号（ＲＸ−ＰＯＷＥＲ）のレベルが下がった場合を示している（図８（ｃ）参照）。
【００１６】
この場合では、アンテナ１で受信している信号を混合器１３において合成したことによって混合器１３の出力信号のレベルが低下し、電力信号（ＲＸ−ＰＯＷＥＲ）のレベルが低下したと考えられて、受信条件が悪くなったと判定されるので、タイミング信号（ＦＦＴ−ＷＩＮＤＯＷ）が高電位になるタイミングで減衰量制御信号ＣＯＮＴ１のレベルを最小に戻す（図８（ｂ）参照）。
【００１７】
図９の場合でも可変減衰器１０、１１、１２の中で、少なくとも１つ以上は減衰量が０となっており、初期状態では減衰量制御信号ＣＯＮＴ１のレベルが最大、すなわち可変減衰器９の減衰量が０となっている。ここで、アンテナ１で受信している信号を評価するために、タイミング信号（ＦＦＴ−ＷＩＮＤＯＷ）が低電位になる区間（図９（ａ）参照）で減衰量制御信号ＣＯＮＴ１のレベルを最小にし（図９（ｂ）参照）、可変減衰器９の減衰量を最大にする。
【００１８】
これによって、アンテナ１で受信した信号が減衰されて混合器１３で合成されてチューナ１４に入力されることになる。その結果、図９では、電力信号（ＲＸ−ＰＯＷＥＲ）のレベルが上がった場合を示している（図９（ｃ）参照）。この場合は、アンテナ１で受信している信号を減衰させれば電力信号（ＲＸ−ＰＯＷＥＲ）のレベルが上がり、受信条件が良くなると判定され、タイミング信号（ＦＦＴ−ＷＩＮＤＯＷ）が高電位になるタイミングで一旦減衰量制御信号ＣＯＮＴ１のレベルを最大に戻し（図９（ｂ）参照）、それ以降、タイミング信号（ＦＦＴ−ＷＩＮＤＯＷ）が低電位の区間で減衰量制御信号ＣＯＮＴ１のレベルが最小になるまで順次階段的に変化させる（図９（ｂ）参照）。
【００１９】
図１０の場合においては、初期状態は図９の場合と同じであるが、タイミング信号（ＦＦＴ−ＷＩＮＤＯＷ）が低電位になる区間（図１０（ａ）参照）で、減衰量制御信号ＣＯＮＴ１のレベルを最小にし（図１０（ｂ）参照）、可変減衰器９の減衰量を最大にしたことにより電力信号（ＲＸ−ＰＯＷＥＲ）のレベルが下がった場合を示している（図１０（ｃ）参照）。この場合は、アンテナ１で受信している信号を混合器１３において合成したことによって混合器１３の出力信号のレベルが減少し、電力信号（ＲＸ−ＰＯＷＥＲ）のレベルが低下したと考えられて、受信条件が悪くなったと判定されるので、タイミング信号（ＦＦＴ−ＷＩＮＤＯＷ）が高電位になるタイミングで減衰量制御信号ＣＯＮＴ１のレベルを最大に戻す（図１０（ｂ）参照）。
【００２０】
このようにして、１以上の可変減衰器の減衰量を０に維持した状態で、可変減衰器９、１０、１１、１２の減衰量を順次制御して、チューナ１４に入力される信号レベルを最大に保つように制御する。
【００２１】
【発明が解決しようとする課題】
しかし、上記したように可変減衰器の減衰量を制御しても、電力信号（ＲＸ−ＰＯＷＥＲ）にはノイズ成分の電力も含まれているために、受信信号レベルが低くＣ／Ｎが悪い受信条件においては、ＯＦＤＭ変調信号の受信信号レベルが低く、低雑音増幅器の出力が殆どノイズ成分だけのアンテナがあった場合は、その系の可変減衰器の減衰量を０にして他のアンテナからの信号を低雑音増幅器にて増幅した信号と合成すると、ノイズ成分の電力が加算されることとなって、電力信号（ＲＸ−ＰＯＷＥＲ）のレベルが上がり、ダイバーシティ制御回路で受信条件が良好と判別されるが、実際はＣ／Ｎが悪くなってしまうという問題点があった。
【００２２】
さらに、可変減衰器による減衰量はタイミング信号（ＦＦＴ−ＷＩＮＤＯＷ）単位、すなわちＯＦＤＭシンボル時間単位で少しずつ変化させている。ＯＦＤＭシンボル時間単位における可変減衰器の減衰量（可変減衰器の減衰量とも記す）の変更量を大きくして、可変減衰器の減衰量を急速に変化させると、選択するべきアンテナについてのダイバーシティ判定結果を素早く反映することができるが、可変減衰器の減衰量を急速に変化させると急激な受信信号レベルの変動のために、復調結果に悪影響を与えるという問題点がある。このために、可変減衰器の減衰量の変更量をフェージングによる受信信号レベルの変化に対応するほぼ一定の速度に設定している。この結果、十分にアンテナバイバーシティの効果を得ることができない場合が生ずるという問題点があった。
【００２３】
本発明は、アンテナの実質的な選択の信頼性を向上させて、安定し、かつ十分な効果を奏するダイバーシティ受信機を提供することを目的とする。
【００２４】
【課題を解決するための手段】
本発明のダイバーシティ受信機は、１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる複数の可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
可変減衰手段の減衰量を最大から最小まで徐々に減少するように制御する減衰量制御手段と、を備え、
前記減衰量制御手段は、
ガードインターバル区間に対応した期間にて、前記複数の可変減衰手段中の１つの減衰量を最小又は最大に切り換えて前記相関検出手段により検出された相関出力のピークレベルを測定し、相関出力のピークレベルが増加したか否かを判別し、
相関出力のピークレベルが増加したと判別すると前記複数の可変減衰手段中の相関出力のピークレベルを判別する際に減衰量を切り換えた可変減衰手段による減衰量を最小から増加または最大から減少させ、
ガードインターバル区間に対応する期間に前記可変減衰手段による減衰量の増加減の減衰量の変化速度を、受信信号の変調方式に基づいて制御し、
前記減衰量の変化速度を、フェージングの特性の影響力が大きいときは小さく、フェージングの特性の影響力が小さいときは大きく、変更する、
ことを特徴とする。
【００２５】
本発明のダイバーシティ受信機によれば、復調ベースバンド信号の相関出力に基づいて可変減衰手段における減衰量を制御するようにしたため、ノイズ成分の影響を受けにくくなって、アンテナの実質的な選択の信頼性が向上し、安定したダイバーシティ制御が行える。
【００２６】
本発明のダイバーシティ受信機によれば、ガードインターバル区間に対応した期間における相関出力のピークレベルが増加したか否かに基づいて、ガードインターバル区間に対応する期間に可変減衰手段の減衰量を受信信号の変調方式またはダイバーシティ受信機の移動速度の何れか一方に基づき変更するようにしたため、受信信号の変調方式がフェージングに強い変調方式のときは減衰量を大きく変化させ、受信信号の変調方式がフェージングに弱い変調方式のときは減衰量を小さく変化させられるために、受信信号の変調方式によっても復調結果に悪影響を与えることなく、十分にダイバーシティ効果を得ることができる。
【００２７】
また、ダイバーシティ受信機によって移動受信する場合にダイバーシティ受信機の移動速度が遅ければフェージングによる復調結果への影響が少ないため、可変減衰手段の減衰量の変化が大きくされる。移動速度が速ければフェージングによる復調結果への影響が大きいため、可変減衰手段の減衰量の変化が小さくされる。したがって、移動受信の場合も、復調結果に悪影響を与えることなく、十分にダイバーシティ効果を得ることができる。
【００２８】
本発明のダイバーシティ受信機において、前記減衰量制御手段は、ガードインターバル区間に対応した期間に前記複数の可変減衰手段中の１つの減衰量を最小に制御したときに検出した相関出力のピークレベルが直前のガードインターバル区間に対応した期間に検出した相関出力のピークレベルよりも増加しているときは、前記可変減衰手段による減衰量を可変し、続くガードインターバル区間に対応する期間毎における減衰量の変化速度を、受信信号の変調方式に基づいて制御し、フェージングの特性の影響力が大きいときは小さくフェージングの特性の影響力が小さいときは大きく変更し、減衰量を最大から順次段階的に最小にまで変更することが望ましい。
【００２９】
本発明のダイバーシティ受信機において、前記減衰量制御手段は、ガードインターバル区間に対応した期間に前記複数の可変減衰手段中の１つの減衰量を最小に制御したときに検出した相関出力のピークレベルが直前のガードインターバル区間に対応した期間に検出した相関出力のピークレベルよりも減少しているときは、前記可変減衰手段による減衰量を可変し、減衰量を最小にしたときのガードインターバル区間に対応する期間に続く有効シンボル区間から減衰量を最大に戻すことが望ましい。
【００３０】
本発明のダイバーシティ受信機において、前記減衰量制御手段は、ガードインターバル区間に対応した期間に前記複数の可変減衰手段中の１つの減衰量を最大に制御したときに検出した相関出力のピークレベルが直前のガードインターバル区間に対応した期間に検出した相関出力のピークレベルよりも増加しているときは、前記可変減衰手段による減衰量を可変し、続くガードインターバル区間に対応する期間毎における減衰量の変化速度を、受信信号の変調方式に基づいて制御し、フェージングの特性の影響力が大きいときは小さくフェージングの特性の影響力が小さいときは大きく変更し、減衰量を最小から順次階段的に最大にまで変更することが望ましい。
【００３１】
本発明のダイバーシティ受信機において、前記減衰量制御手段は、ガードインターバル区間に対応した期間に前記複数の可変減衰手段中の１つの減衰量を最大に制御したときに検出した相関出力のピークレベルが直前のガードインターバル区間に対応した期間に検出した相関出力のピークレベルよりも減少しているときは、前記可変減衰手段による減衰量を可変し、減衰量を最小にしたときのガードインターバル区間に対応する期間に続く有効シンボル区間から減衰量を最小に戻すことが望ましい。
【００３２】
【発明の実施の形態】
以下、本発明にかかるダイバーシティ受信機を実施の一形態によって説明する。
【００３３】
図１は本発明の実施の一形態にかかるダイバーシティ受信機の構成を示すブロック図であり、図６に示すダイバーシティ受信機Ｂと重複した説明を避けるために、本発明の実施の一形態にかかるダイバーシティ受信機Ａにおいて、ダイバーシティ受信機Ｂと同一構成要素には同一の符号を付して示し、その説明は省略する。
【００３４】
ダイバーシティ受信機Ａは、アンテナ１、２、３、４、低雑音増幅器５、６、７、８、可変減衰器９、１０、１１、１２、混合器１３、チューナ１４、ＡＤ変換器１５、直交検波器１６、有効シンボル抽出回路１７、ＦＦＴ回路１８、デマッパ１９、ガード相関器２０、タイミング再生回路２１を備え、これらはダイバーシティ受信機Ｂの場合と同様に作用する。
【００３５】
また、ダイバーシティ受信機Ａでは、ＦＦＴ処理された信号を受けて同期が採れたときの、伝送パラメータ信号（Transmission  Parameter  Signalling  ＤＶＢ−Ｔ(Digital  Video  Broadcasting  Terrestrial)の場合）中のコンステレーション特性、ＴＭＣＣ（Transmission  and  Multiplexing  Configuration  Control  ＩＳＤＢ−Ｔ(Integrated  Service  Digital  Broadcasting  Terrestrial)の場合）信号に基づいて受信信号の変調方式を検出する変調方式検出回路２２を有する。
【００３６】
さらにまた、ダイバーシティ受信機Ａでは、ダイバーシティ制御回路２５に代わり、ダイバーシティ制御回路２３を備え、ガード相関器２０から出力される相関出力ＣＯＲＲ、タイミング信号（ＦＦＴ−ＷＩＮＤＯＷ）および受信信号の変調方式を検出した変調方式信号はダイバーシティ制御回路２３に供給し、相関出力ＣＯＲＲ、タイミング信号（ＦＦＴ−ＷＩＮＤＯＷ）および変調方式信号に基づきダイバーシティ制御回路２３から可変減衰器９、１０、１１、１２の減衰量を制御する減衰量制御信号ＣＯＮＴ１、ＣＯＮＴ２、ＣＯＮＴ３、ＣＯＮＴ４をそれぞれ可変減衰器９、１０、１１、１２へ送出して、混合器１３の出力レベル、すなわち合成された受信信号レベルが高くなるように可変減衰器９、１０、１１、１２の減衰量を制御する。
【００３７】
ダイバーシティ制御回路２３の動作を、減衰量制御信号ＣＯＮＴ１を例に図２、図３、図４、図５に示すタイミング図によって説明する。
【００３８】
ダイバーシティ受信機Ａでは、ダイバーシティ受信機Ｂの場合と同様に、タイミング信号（ＦＦＴ−ＷＩＮＤＯＷ）は高電位のとき有効シンボル区間に対応する期間を示し、低電位のときガードインターバル区間に対応する期間を示している。減衰量制御信号ＣＯＮＴ１は可変減衰器９の減衰量を制御する信号であり、減衰量制御信号ＣＯＮＴ１のレベルが最大の場合に減衰量が０に制御され、減衰量制御信号ＣＯＮＴ１のレベルが最小の場合に減衰量が最大になる。減衰量制御信号ＣＯＮＴ２、３、４の場合も、減衰量制御信号ＣＯＮＴ１の場合と同様である。
【００３９】
ここで、ダイバーシティ制御回路２３はダイバーシティ制御回路２５における場合と代わって、受信条件が良くなるか否かの判断は電力信号（ＲＸ−ＰＯＷＥＲ）ではなく、相関出力ＣＯＲＲを用いる。ダイバーシティ制御回路２３ではタイミング信号（ＦＦＴ−ＷＩＮＤＯＷ）が低電位の期間に、すなわちガードインターバルの区間に対応した期間に可変減衰器９、１０、１１、１２の減衰量を変化させることについては、ダイバーシティ制御回路２５における場合と同様である。
【００４０】
図２では、混合器１３の入力がなくならないようにするために、可変減衰器１０、１１、１２の中で、少なくとも１つ以上の減衰量を０とし、初期状態として、減衰量制御信号ＣＯＮＴ１のレベルが最小、すなわち可変減衰器９の減衰量が最大となっている。ここで、アンテナ１で受信している信号を評価するために、タイミング信号（ＦＦＴ−ＷＩＮＤＯＷ）が低電位になる区間（図２（ａ）参照）で減衰量制御信号ＣＯＮＴ１のレベルを最大にし（図２（ｂ）参照）、可変減衰器９の減衰量を０にする。
【００４１】
これによって、アンテナ１で受信した信号も混合器１３による合成のうえチューナ１４に入力され、このときにおいて、図２では、相関出力ＣＯＲＲのピークレベルが以前の相関出力ＣＯＲＲのピークレベルよりも上がった場合を示している（図２（ｃ）参照）。この場合では、アンテナ１で受信している信号を含めて混合器１３で合成すれば混合器１３の出力のレベルは増大し、受信条件が良くなると判定されるが、復調される信号の急激な変化を避けるために、続いてタイミング信号（ＦＦＴ−ＷＩＮＤＯＷ）が高電位になるタイミングで一旦減衰量制御信号ＣＯＮＴ１のレベルを最小に戻し、図２において矢印で示すように、それ以降、タイミング信号（ＦＦＴ−ＷＩＮＤＯＷ）が低電位の区間で減衰量制御信号ＣＯＮＴ１のレベルを、最大になるまで階段的に順次増大させる。
【００４２】
この場合に、減衰量の減少速度は変調方式信号に基づいて定められ、受信信号の変調方式に基づき変更される。すなわち、フェージングに対する耐性は、変調方式によって異なることが知られており、例えばＩＳＤＢ−Ｔでは、データキャリアの変調方式にＱＰＳＫ、ＤＱＰＳＫ、１６ＱＡＭ、６４ＱＡＭの何れかが使用されるが、一般的に符号の最小距離が長いほどフェージングに対する耐性は高い。また、畳み込み符号化率が低い方が、よりフェージングに対する耐性が高い。
【００４３】
しかるに、受信号の変調方式にかかわらず、一番フェージングに弱い変調方式でも復調結果に悪影響が出ないように減衰量の変化を一定した場合に比較して、ダイバーシティ受信機Ａでは、減衰量の減少速度は変調方式信号に基づいて定め、受信信号の変調方式がフェージングに強い変調方式のときは減衰量を大きく変化させ、受信信号の変調方式がフェージングに弱い変調方式のときは減衰量を小さく変化させようにしたため、受信信号の変調方式によっても復調結果に悪影響を与えることなく、十分にダイバーシティ効果を得ることができる。
【００４４】
図３の場合では、受信機の初期状態は図２の場合と同様であるが、タイミング信号（ＦＦＴ−ＷＩＮＤＯＷ）が低電位になる区間（図３（ａ）参照）で、減衰量制御信号ＣＯＮＴ１のレベルを最大にし（図３（ｂ）参照）、可変減衰器９の減衰量を０にしたことにより相関出力ＣＯＲＲのレベルが下がった場合を示している（図３（ｃ）参照）。
【００４５】
この場合では、アンテナ１で受信している信号を混合器１３において合成したことによって混合器１３の出力信号のレベルが低下し、相関出力ＣＯＲＲのピークレベルが低下したと考えられて、受信条件が悪くなったと判定されるので、続いてタイミング信号（ＦＦＴ−ＷＩＮＤＯＷ）が高電位になるタイミングで減衰量制御信号ＣＯＮＴ１のレベルを最小に戻す（図３（ｂ）参照）。
【００４６】
上記図２に示した場合のように、可変減衰器９の減衰量が最大となっている状態におけるガードインターバル区間に対応した期間において可変減衰器９の減衰量を０にしたとき、次のガードインターバル区間に対応した期間における相関出力ＣＯＲＲのピークレベルがその前のガードインターバル区間に対応した期間における相関出力のピークレベルよりも増加しているときは、前記次のガードインターバル区間に対応した期間に続くガードインターバル区間に対応した期間に可変減衰器９の減衰量を最大にし、すなわち元に復元し、続くガードインターバル区間に対応した期間において順次可変減衰器９の減衰量を０にまで階段的に減少させていく。これによって安定して受信可能な減衰量に設定することができることになる。
【００４７】
また、上記図３に示した場合のように、可変減衰器９の減衰量が最大となっている状態におけるガードインターバル区間に対応した期間において可変減衰器９の減衰量を０にしたとき、次のガードインターバル期間に相関出力ＣＯＲＲのピークレベルがその前のガードインターバル区間に対応した期間における相関出力のピークレベルよりも減少しているときは、可変減衰器９の減衰量を０にしたときに続くガードインターバル区間に対応した期間から可変減衰器９の減衰量を最大にする、すなわち元に復元する。これによって安定して受信可能な減衰量に設定することができることになる。
【００４８】
図４の場合でも可変減衰器１０、１１、１２の中で、少なくとも１つ以上は減衰量が０となっており、初期状態では減衰量制御信号ＣＯＮＴ１のレベルが最大、すなわち可変減衰器９の減衰量が０となっている。ここで、アンテナ１で受信している信号を評価するために、タイミング信号（ＦＦＴ−ＷＩＮＤＯＷ）が低電位になる区間（図４（ａ）参照）で減衰量制御信号ＣＯＮＴ１のレベルを最小にし（図４（ｂ）参照）、可変減衰器９の減衰量を最大にする。
【００４９】
これによって、アンテナ１で受信した信号が減衰されて混合器１３で合成されてチューナ１４に入力されることになる。その結果、図４では、相関出力ＣＯＲＲのピークレベルが上がった場合を示している（図４（ｃ）参照）。この場合は、アンテナ１で受信している信号を減衰させれば相関出力ＣＯＲＲのレベルが上がり、受信条件が良くなると判定され、続いてタイミング信号（ＦＦＴ−ＷＩＮＤＯＷ）が高電位になるタイミングで一旦減衰量制御信号ＣＯＮＴ１のレベルを最大に戻し（図４（ｂ）参照）、図４において矢印で示すようにそれ以降、タイミング信号（ＦＦＴ−ＷＩＮＤＯＷ）が低電位の区間で減衰量制御信号ＣＯＮＴ１のレベルが最小になるまで順次階段的に変化させる（図４（ｂ）参照）。この場合に、減衰量の増加速度は変調方式信号に基づいて定められることは図２の場合と同様である。
【００５０】
図５の場合において初期状態は図４の場合と同じであるが、タイミング信号（ＦＦＴ−ＷＩＮＤＯＷ）が低電位になる区間（図５（ａ）参照）で、減衰量制御信号ＣＯＮＴ１のレベルを最小にし（図５（ｂ）参照）、可変減衰器９の減衰量を最大にしたことにより相関出力ＣＯＲＲのピークレベルが下がった場合を示している（図５（ｃ）参照）。この場合は、アンテナ１で受信している信号を混合器１３において合成したことによって混合器１３の出力信号のレベルが減少し、相関出力ＣＯＲＲのピークレベルが低下したと考えられて、受信条件が悪くなったと判定されるので、タイミング信号（ＦＦＴ−ＷＩＮＤＯＷ）が高電位になるタイミングで減衰量制御信号ＣＯＮＴ１のレベルを最大に戻す（図５（ｂ）参照）。
【００５１】
上記図４に示した場合のように、可変減衰器９の減衰量が０となっている状態におけるガードインターバル区間に対応した期間において可変減衰器９の減衰量を最大にしたとき、次のガードインターバル期間に相関出力ＣＯＲＲのピークレベルがその前のガードインターバル区間に対応した期間における相関出力のピークレベルよりも増加しているときは、前記次のガードインターバル区間に対応する期間に続くガードインターバル区間に対応した期間に可変減衰器９の減衰量を０にし、すなわち元に復元し、続くガードインターバル区間に対応した期間において順次可変減衰器９の減衰量を最大にまで階段的に増大させていく。これによって安定して受信可能な減衰量に設定することができることになる。
【００５２】
また、上記図５に示した場合のように、可変減衰器９の減衰量が０となっている状態におけるガードインターバル区間に対応した期間において可変減衰器９の減衰量を最大にしたとき、次のガードインターバル区間に対応した期間における相関出力ＣＯＲＲのピークレベルがその前のガードインターバル区間に対応した期間における相関出力のピークレベルよりも減少しているときは、可変減衰器９の減衰量を最大にしたときに続くガードインターバル区間に対応した期間から可変減衰器９の減衰量を０にする、すなわち元に復元する。これによって安定して受信可能な減衰量に設定することができることになる。
【００５３】
このようにして、１以上の可変減衰器の減衰量を０に維持した状態で、可変減衰器９、１０、１１、１２の減衰量を順次制御して、チューナ１４に入力される信号レベルを最大に保つように制御する。
【００５４】
上記したように可変減衰器の減衰量を制御して、信号レベルの検出にガード相関出力ＣＯＲＲのピークレベルを参照するようにしたため、ノイズ成分の影響を受けにくくなって、安定したダイバーシティ受信が行える。
【００５５】
また、各アンテナからの出力レベルの減衰量を変化させる速度は、フェージングによる受信レベル変動の速度に類似し、使用している変調波の周波数帯移動速度によって定まるが、アンテナダイバーシティ受信の場合は、変調方式によってフェージングに対する耐性が異なる。ダイバーシティ受信機Ａでは、可変減衰器９〜１２の減衰量の変更量は受信信号の変調方式信号に基づいて定め、受信信号の変調方式がフェージングに強い変調方式のときは可変減衰器の減衰量を大きく変化させ、受信信号の変調方式がフェージングに弱い変調方式のときは可変減衰器９〜１２の減衰量を小さく変化させようにしたため、受信信号の変調方式によっても復調結果に悪影響を与えることなく、十分にダイバーシティ効果を得ることができる。
【００５６】
ダイバーシティ受信機Ａにて移動受信の行うときは、ダイバーシティ受信機Ａの移動速度を検出し、変調方式に代わって移動速度に基づいて可変減衰器９〜１２の減衰量の変更量を変更してもよい。この場合には、移動速度が低いときはフェージングによる復調結果への影響が少ないために、可変減衰器９〜１２の減衰量の変更量を増加させ、移動速度が速いときはフェージングによる復調結果への影響が大きいために、可変減衰器９〜１２の減衰量の変更量を減少させる。ダイバーシティ受信機Ａの移動速度の検出には、自動車の車速信号を用いることができる。さらにまた、変調方式／または移動速度の何れか一方に基づいて可変減衰器９〜１２の減衰量の変更量を変更してもよい。
【００５７】
また減衰量の変更量について、受信信号の変調方式に対応して減衰量の変更量を予め記憶装置に記憶させておいて、検出した変調方式に基づいて記憶装置から読み出した減衰量の変更量に基づいて、減衰量の変更量を定めることができる。同様に、ダイバーシティ受信機Ａの移動速度に基づいて減衰量の変更量を変更する場合も同様に設定することができる。受信信号の変調方式およびダイバーシティ受信機Ａの移動速度に基づいて減衰量の変更量を制御する場合も、受信信号の変調方式およびダイバーシティ受信機Ａの移動速度に対応して減衰量の変更量を予め記憶装置に記憶させておいて、検出した変調方式および移動速度に基づいて記憶装置から読み出した減衰量の変更量に基づいて、減衰量の変更量を定めることができる。
【００５８】
ダイバーシティ受信機Ａにおいて可変減衰器９による減衰量の制御について説明したが、可変減衰器９による減衰量の制御によっても相関の増加がないときには、次に可変減衰器９に代わって可変減衰器１０について同様の制御を行い、可変減衰器１０による減衰量の制御によっても相関の増加がないときには、次に可変減衰器１０に代わって可変減衰器１１について同様の制御を行い、可変減衰器１１による減衰量の制御によっても相関の増加がないときには、次に可変減衰器１１に代わって可変減衰器１２について同様の制御を行い、これを繰り返す。
【００５９】
【発明の効果】
以上説明したように本発明にかかるダイバーシティ受信機によれば、アンテナの実質的な選択の信頼性が向して、安定したダイバーシティ受信をすることができる。
【図面の簡単な説明】
【図１】本発明の実施の一形態にかかるダイバーシティ受信機の構成を示すブロック図である。
【図２】本発明の実施の一形態にかかるダイバーシティ受信機の作用の説明に供するタイミング図である。
【図３】本発明の実施の一形態にかかるダイバーシティ受信機の作用の説明に供するタイミング図である。
【図４】本発明の実施の一形態にかかるダイバーシティ受信機の作用の説明に供するタイミング図である。
【図５】本発明の実施の一形態にかかるダイバーシティ受信機の作用の説明に供するタイミング図である。
【図６】従来のダイバーシティ受信機の構成を示すブロック図である。
【図７】従来のダイバーシティ受信機の作用の説明に供するタイミング図である。
【図８】従来のダイバーシティ受信機の作用の説明に供するタイミング図である。
【図９】従来のダイバーシティ受信機の作用の説明に供するタイミング図である。
【図１０】従来のダイバーシティ受信機の作用の説明に供するタイミング図である。
【符号の説明】
９〜１２  可変減衰器
１３  混合器
１４  チューナ
１５  ＡＤ変換器
１６  直交検波器
１７  有効シンボル抽出回路
１８  ＦＦＴ回路
２０  ガード相関器
２１  タイミング再生回路
２２  変調方式検出回路
２３  ダイバーシティ制御回路
【図１】
0004011384.tif 000002
【図２】
0004011384.tif 000003
【図３】
0004011384.tif 000004
【図４】
0004011384.tif 000005
【図５】
0004011384.tif 000006
【図６】
0004011384.tif 000007
【図７】
0004011384.tif 000008
【図８】
0004011384.tif 000009
【図９】
0004011384.tif 000010
【図１０】
0004011384.tif 000011